(57)【要約】【課題】プールの遊泳者又は浴槽の入浴者の溺水を感知し、生命の危機に陥る前に救助するための安全監視装置を提供する。【解決手段】遊泳者又は入浴者にタグを身に着けさせる。一定時間ごとにタグへ問合信号を送信し、受信したタグは固有のタグ識別番号を送信する。使用する電波は水中を伝播しない周波数とし、タグが水中にあるときは問合信号を受信しないため応答しない。応答がない時は溺水候補として警報を発報する。【選択図】図１
2020173751.tif 000002
【特許請求の範囲】
【請求項１】
プール又は浴槽を区画分けし、溺水者があったときに、前記溺水者の位置を特定及び通知する安全監視警報システム
であって、
プール又は浴槽の周囲に複数設置され、水中を伝播しない周波数を利用して、定期的に特定のタグへ問合信号を送信する送信手段と、前記タグからの応答信号を受信する受信手段とを持つ送受信機
と、
固有の識別番号を持ち、問合信号の受信手段と、応答信号の送信手段とを水密に持つタグと、
タグのタグ識別番号とタグ所有者情報とをもつ管理タグデータベースと、
各タグの監視開始時刻と最終応答時刻と最終応答位置と最新問合時刻と監視間隔とを管理する監視データベースを持ち、
タグへ問い合わせてから応答があれば、最終応答時刻と最終応答位置と最新問合時刻とを更新し監視間隔を初期化し、
あるいは、
タグへ問い合わせてから応答がなければ、警報を発するとともに、最新問合時刻を更新し、監視間隔を予め設定した間隔に変更する制御を繰り返す監視装置
と、
警報を受信し、監視員へ伝達する警報伝達手段
とを有することを特徴とする、安全監視警報システム。
【請求項２】
監視区域の出入口に、タグの通過を感知する入退場ゲートを設け、
タグが前記入退場ゲートを通過したとき監視データベースを参照し、
前記監視データベースに通過したタグが登録されてなければ入場とみなし、前記監視データベースへ前記通過したタグのデータを登録し、
前記監視データベースに通過したタグが登録されていれば退場とみなし、前記監視データベースから前記通過したタグのデータを消去することで
監視対象となるタグを管理する
ことを特徴とする、請求項１に記載の安全監視警報システム。
【請求項３】
前記タグは、更に、通信用の電池を持つ
ことを特徴とする、請求項１乃至請求項２に記載の安全監視警報システム。
【請求項４】
前記電池は太陽電池であり、前記太陽電池の構成として、
光を受け発電する発電手段と
電圧変換手段と
蓄電手段と
を持つことを特徴とする、請求項３に記載の安全監視警報システム。
【請求項５】
前記タグは、
水泳帽に取り付けられてプール遊泳者へ提供される
ことを特徴とする、請求項１乃至請求項４に記載の安全監視警報システム。
【請求項６】
前記タグは、
首飾りに取り付けられて浴槽の入浴者へ提供される
ことを特徴とする、請求項１乃至請求項４に記載の安全監視警報システム。
【請求項７】
前記タグを遊泳者又は入浴者へ引き渡す前に、
タグ識別番号とタグ所有者情報とを
管理タグデータベースへ登録する
ことを特徴とする、請求項１乃至請求項６に記載の安全監視警報システム。
【請求項８】
前記タグ所有者情報は、
前記遊泳者又は入浴者が施設登録会員であったときは会員番号であり、
前記遊泳者又は入浴者が登録会員でないときは会員外であるという情報
であることを特徴とする、請求項１乃至請求項７に記載の安全監視警報システム
【請求項９】
前記タグ所有者情報は、
前記遊泳者又は入浴者が施設登録会員であったときは会員番号であり、
前記遊泳者又は入浴者が登録会員でないときは会員外専用管理番号である
ことを特徴とする、請求項１乃至請求項７に記載の安全監視警報システム
【請求項１０】
前記タグ所有者情報は、
利用者の氏名である
ことを特徴とする、請求項１乃至請求項７に記載の安全監視警報システム
【請求項１１】
前記タグ所有者情報は、
利用者の任意の仮名である
ことを特徴とする、請求項１乃至請求項７に記載の安全監視警報システム
【請求項１２】
前記警報伝達手段は、
回転灯であり、
溺水者があるときに発光することで、警報を伝達する
ことを特徴とする、請求項１乃至請求項１１に記載の安全監視警報システム
【請求項１３】
前記警報伝達手段は、
警報音発生器であり、
溺水者があるときに警報音を発することで、警報を伝達する
ことを特徴とする、請求項１乃至請求項１１に記載の安全監視警報システム
【請求項１４】
前記警報伝達手段は、
表示画面であり、
前記画面に表示されたプール又は浴槽の平面図の最終応答位置の区画に、最終応答時刻からの経過時間により異なる色の識別記号を表示する
ことを特徴とする、請求項１乃至請求項１１に記載の安全監視警報システム
【請求項１５】
前記表示画面である警報伝達手段は、
パソコン画面であり、
溺水者を示す識別記号をクリックすると
タグ所有者情報を表示する
ことを特徴とする、請求項１４に記載の安全監視警報システム
【請求項１６】
前記表示画面である警報伝達手段は、
タッチパネルであり、
溺水者を示す識別記号をタップすると
タグ所有者情報を表示する
ことを特徴とする、請求項１４に記載の安全監視警報システム
【請求項１７】
前記警報伝達手段は、
電光掲示板であり、
最終応答位置の区画を表示する
ことを特徴とする、請求項１乃至請求項１１に記載の安全監視警報システム
【請求項１８】
前記警報伝達手段は、
受信手段と送信手段とを持つリストバンドである
ことを特徴とする、請求項１乃至請求項１１に記載の安全監視警報システム
【請求項１９】
前記警報伝達手段は、
文字表示手段を持ったリストバンドであり、
最終応答位置の区画を表示する
ことを特徴とする、請求項１８に記載の安全監視警報システム
【請求項２０】
前記警報伝達手段は、
振動手段を持ったリストバンドであり、
溺水者があるときに振動することで、警報を伝達する
ことを特徴とする、請求項１８に記載の安全監視警報システム
【請求項２１】
前記警報伝達手段は、
警報音発生手段を持ったリストバンドであり、
溺水者があるときに警報音を発することで、警報を伝達する
ことを特徴とする、請求項１８に記載の安全監視警報システム
【請求項２２】
前記警報伝達手段は、
小型画面を持ったリストバンドであり、
前記小型画面に表示されたプール又は浴槽の平面図の最終応答位置の区画に、識別記号を表示する
ことを特徴とする、請求項１８に記載の安全監視警報システム
【請求項２３】
前記警報伝達手段は、
小型画面を持ったリストバンドであり、
前記小型画面に表示されたプール又は浴槽の平面図の最終応答位置の区画に、最終応答時刻からの経過時間により異なる色の識別記号を表示する
ことを特徴とする、請求項１８に記載の安全監視警報システム
【請求項２４】
前記警報伝達手段は、
請求項１２乃至請求項２３のうち２以上を同時に利用し
複数の手段で警報を伝達する
ことを特徴とする、請求項１乃至請求項２３に記載の安全監視警報システム
【請求項２５】
前記警報を、
他の制御装置や監視装置へ送信する
ことを特徴とする、請求項１乃至請求項２４に記載の安全監視警報システム
【請求項２６】
前記警報の送信先が
受付に設置された管理タグデータベース登録用端末である
ことを特徴とする、請求項２５に記載の安全監視警報システム
【請求項２７】
前記警報の送信先が
管理室に設置された表示画面である
ことを特徴とする、請求項２５に記載の安全監視警報システム
【請求項２８】
前記管理タグデータベースに更にタグ電池残量のデータを持ち、
前記電池の容量が予め設定された値以下に減少したとき、
前記タグからタグ識別番号とともに電池容量減少信号を送信し、
前記電池容量減少信号を受信した前記監視装置は、
前記管理タグデータベースを更新するとともに、
警報伝達手段によって監視員又は施設管理者へ伝達する
ことを特徴とする、請求項１乃至請求項２７に記載の安全監視警報システム。
【請求項２９】
電池容量減少信号を監視装置が受信したときは、
タブレット端末に警報を伝達し、電池容量が減少したタグがあることを表示する
ことを特徴とする、請求項１乃至請求項２８に記載の安全監視警報システム
【請求項３０】
電池容量減少信号を監視装置が受信したときは、
表示及び操作用小型画面が付加されたリストバンド型端末に警報を伝達し、電池容量が減少したタグがあることを表示する
ことを特徴とする、請求項１乃至請求項２８に記載の安全監視警報システム
【請求項３１】
電池容量減少信号を監視装置が受信したときは、
パソコンやサーバー等に警報を伝達し、前記パソコンやサーバー等が持つ表示画面に電池容量が減少したタグがあることを表示する
ことを特徴とする、請求項１乃至請求項２８に記載の安全監視警報システム
【請求項３２】
電池容量減少信号を監視装置が受信したときは、
他機器の制御盤に警報を伝達する
ことを特徴とする、請求項１乃至請求項２８に記載の安全監視警報システム
【発明の詳細な説明】
【技術分野】
【０００１】  本発明は、プールの遊泳者又は浴槽の入浴者の溺水防止用監視警報システムに関する。
【背景技術】
【０００２】  一般に、プール施設では、遊泳者の安全管理のために監視員が常駐し監視しているが、溺水者は静かに沈んでいくことが多く、広いプール内を詳細に監視することは難しい。そこで、監視員による安全監視を補助できるシステムが必要とされるようになった。
【発明の概要】
【発明が解決しようとする課題】
【０００３】  そこで本発明は、プール遊泳者の溺水を感知し、生命の危機に陥る前に救助するための安全監視装置を提供することを目的とする。
【課題を解決するための手段】
【０００４】  以上の課題を解決するため、本発明は、遊泳者又は浴槽に無線通信機能を持つタグを装着させ、通信状態によって溺水か否かを判定し、警報を発報する。【０００５】  即ち、前記タグと送受信機との無線通信に利用される電波の周波数帯を、水中を伝播しない周波数帯に設定する。前記タグが水上にあるときは、前記送受信機から予め設定された間隔で発せられる問合信号を受信でき、また、各々のタグに設定された固有の識別番号を含む応答信号を送信でき、或いは、前記タグが水中にあるときは、前記送受信機から発せられる問合信号を受信できず、また、各々のタグに設定された固有の識別番号を含む応答信号を送信できないため、前記タグからの応答信号があるか否かによって、前記タグが水上にあるか水中にあるかを判断できる。このとき、応答信号を受信した単一又は複数の送受信機が受けた電波の強度により、溺水者の位置を特定する。【０００６】  前記タグが水中にあると判断されるときは、警報を発する。但し、遊泳者又は入浴者の動きにより、一時的に水中にあることも考えられるため、次回の問合せで通信が可能であったときは、警報を解除する。このとき、警報を解除するまでは段階的に問合せ間隔を短くする。問合せ間隔の初期値及び溺水時の設定値は、予め設定しておくことができ、施設の状況などにより変更可能とする。【０００７】  前記警報は、警報伝達手段によって、監視員や施設管理者、受付担当者等の館内担当へ伝達される。前記警報伝達手段は、回転灯の点灯や警報音の発生の他、モニタ画面への位置と溺水時間の表示、電光掲示板への位置の表示が利用できる。また、監視員等が身に着けることができるリストバンドとすることもできる。前記リストバンドは通信手段を持ち、その他、文字表示手段、振動手段、警報音発生手段、小型画面のうち単一又は複数の組み合せにより警報を伝達する機能を有する。【０００８】  監視装置は、
（１）監視対象となるタグへ定期的に問合信号を送信
（２）前記タグからの応答信号の有無で溺水か否かを判定
（３）応答信号があったときは、前記応答信号の電波強度により位置を特定し、監視データベースを更新
（４）応答信号がなかったときは、警報を発報し、監視データベースを更新
の処理を行う。監視装置は、パソコンやサーバー等、タブレット端末、他機器の制御盤などの形態をとることができる。【０００９】  ところで、利用客への引き渡し用に在庫しているタグまで監視対象としてしまうと、処理数が増え、煩雑になる。そこで、監視区域の出入口にタグの通過を検知可能な入退場ゲートを設け、
（５）前記タグが入退場ゲートを通過した際、入場であれば監視対象とし、退場であれば監視対象から除外する
処理を、段落番号０００８の処理に加える。具体的には、利用されているタグのリストである管理タグデータベースと別に、現在の監視状況を入力する監視データベースを持ち、前記監視データベースに登録があるタグのみを監視対象とする。そのため、前記監視データベースに当該タグが登録されていなければ入場とみなし前記監視データベースへ登録し、前記監視データベースに当該タグが登録されていれば退場とみなし前記監視データベースから削除する。【００１０】  段落番号０００９で述べた管理タグデータベースは、タグを利用客へ引き渡す際に登録する。前記管理タグデータベースには、タグ識別番号とタグ所有者情報とタグ電池残量を含む。タグ所有者情報は、会員番号、利用者の氏名、或いは利用者の任意の仮名とし、万一溺水が起こった際にタグ識別番号と照合して個人を特定することができるようにする。施設の一時利用客の場合は、会員外専用管理番号を発行するか、一時利用客のみ、会員外であるという情報に統一することも考えられる。前記タグは小型にしておき、プールの場合遊泳者が必ず着用する水泳帽に縫い込んでおくと、遊泳者に負担を掛けずに監視できる。【００１１】  段落番号００１０で述べた、タグを利用客へ引き渡す際に管理タグデータベースへ登録する方法としては、キーボード等の文字入力装置や画面上に表示されるソフトキーボードを使う方法、上下ボタンを押すことで数値を増減させることができるスピンボタンを使うといった手入力の方法があるが、やや手間である。そこで、タグ識別番号の入力には送受信機を用いた無線通信を利用すると簡便である。同様に、タグ所有者情報の入力には、会員証に通信機能があれば会員番号等を通信で取得し、或いは、前記会員証にバーコードや二次元コードがあれば、コードリーダを使用して取得する。これらの機能がない場合は、手入力となる。【００１２】  段落番号０００９で述べた監視データベースは、監視中のデータを蓄積する。そのため、１つのタグに関連したデータとして、タグ識別番号の他、入退場ゲートを通過した時刻である監視開始時刻、監視間隔、最新問合時刻、最終応答位置と最終応答時刻を保有する。段落番号０００６及び段落番号０００８乃至０００９で述べた監視処理中のデータは、監視データベースに登録及び更新される。【００１３】  警報は、監視装置に取り付けられた回転灯、警報音発生器により発せられる。無線でタブレット端末や監視員が身につけるリストバンドに通知され、表示や警報音、振動等により伝達されても良い。電光掲示板で表示することもできる。また、付加機能として、監視区域から離れた他機器の制御盤やパソコンやサーバー等に伝達されても良い。【００１４】  前記リストバンドに文字表示手段を付加したものや電光掲示板では、溺水者のいる区画を区画番号や記号等で示す。【００１５】  タブレット端末、パソコンやサーバー等が持つモニタ画面には、より具体的な情報を表示することができる。近年利用される、表示及び操作用小型画面が付加されたリストバンド型端末を同じように扱うこともできる。これらの画面には、プール又は浴槽の平面図を表示しておき、溺水者を感知したときは、溺水前最後に応答信号が発せられた位置に、例えば、緑、黄、赤というように、溺水感知からの経過時間に応じた色の識別記号を表示する。前記識別記号は釦の役割も果たし、タブレット端末の場合はタップ操作、パソコンやサーバー等の場合は、マウスによるクリック操作を行うと、画面上に当該タグのタグ所有者情報を表示させることができる。【００１６】  タグの通信距離を長くするため、前記タグに電池を持たせる。前記電池は頻繁に交換することが難しいため、二次電池を用いて充電可能にするのが良い。二次電池の中でも、特に、蓄電手段を持たせた太陽電池を用いると、光源の下にある間、即ち、施設の利用中に充電可能なため、充電のための特別な設備が必要なく、そのための手間や時間も不要となる。前記電池の交換時は、前記タグからタグ識別番号と電池容量減少信号とが送信され、表示画面に表示される。この場合は、前記タグは水密になっているため、タグごと交換する。タグ交換後は、監視装置を操作することで管理タグデータベースに登録された当該タグの情報を削除することができる。この後、交換後のタグを改めて管理タグデータベースに登録する。
【発明の効果】
【００１７】  本発明を実施すると、プールの遊泳者又は浴槽の入浴者の溺水を感知し、生命の危機に陥る前に救助することができる。
【図面の簡単な説明】
【００１８】
【図１】  図１は、本発明で利用される機器を表す構成図である。
【図２】  図２は、本発明のうち、プール又は浴槽周囲の平面図である。
【図３】  図３は、本発明の概要図である。
【図４】  図４は、本発明のデータ構造図である。
【図５】  図５は、警報伝達手段のうち表示画面を利用する場合の画面例である。
【図６】  図６は、電池残量確認画面の画面例である。
【図７】  図７は、タグ利用開始時に管理タグデータベースへ登録する処理内容を示す図である。
【図８】  図８は、タグが入退場ゲートを通過したときの監視データベースへの登録又は削除を行う処理内容を示す図である。
【図９】  図９は、監視の処理内容を示す図である。
【図１０】  図１０は、タグが返却されたときの処理内容を示す図である。
【図１１】  図１１は、電池容量減少信号が送信されたときの処理内容を示す図である。
【発明を実施するための形態】
【００１９】  以下、本発明の実施形態を図面とともに説明する。図１乃至図４は本発明の概要を示し、図５乃至図６は画面例、図７乃至図１０で処理内容を示す図を用いて本発明の具体的な処理の流れを説明する。
【実施例】
【００２０】  図１は、本発明で利用される機器を表す構成図であり、図２は、本発明のうち、プール又は浴槽周囲の平面図である。監視区域の出入口に、符号１４０の入退場ゲートを設け、遊泳者又は入浴者が身に着けているタグと通信し、入場か退場かを判断する。前記タグは、図１では符号１３０で表している。なお、図の簡略化のため、タグを縫い込む水泳帽や着用している遊泳者又は入浴者は省略している。【００２１】  監視のために前記監視区域内に設けられる符号１１０の送受信機は、プール又は浴槽内に隈無く電波が届く位置に設置される。これらの送受信機で受信された情報は、符号１６０の監視装置で、後述の手順で処理される。このとき、前記送受信機からの電波の受信状態により、中継器を用いることができる。図１では符号１２０で表されている。図１では、前記監視装置は監視区域外に置かれているが、防水や結露等への対策が行われていれば、監視区域内に設けても良い。【００２２】  符号１８１乃至１８４は警報伝達手段である。符号１８１は回転灯、符号１８２は警報音発生器を想定している。図１では、前記回転灯と前記警報音発生器は符号１６０の監視装置と一体としているが、分けても良いし、前記監視装置を監視区域外に置き、前記回転灯と前記警報音発生器を監視区域内に置いても良い。また、前記監視装置は専用盤のように作図しているが、タブレット端末、パソコンやサーバー等の電子計算機や、他機器の制御盤と一体となっていても良い。【００２３】  符号１８３はタブレット端末、符号１８４はリストバンドとした警報伝達手段である。前記タブレット端末は監視台に置いておくか監視員が携帯することを想定している。ここで、段落番号００２２で述べた、監視装置をタブレット端末として実施されたシステムの場合は、符号１８３のタブレット端末に監視装置の機能を含めることも可能である。【００２４】  図３は、本発明の概要図である。タグを販売または貸し出しする際、符号２３１の在庫タグから取出し、符号２３６の管理タグデータベース登録用端末を使用して、符号２６３の管理タグデータベースへ当該タグの情報とタグ所有者情報を登録する。前記管理タグデータベースは、符号２６０の監視装置に含まれており、前記管理タグデータベースへの登録は、符号２６１の通信部を介して符号２６２の制御部で登録情報を処理して登録する。前記管理タグデータベース登録用端末と前記監視装置との通信は、有線でも無線でもよく、図３では、有線を想定して実線で記している。【００２５】  前記管理タグデータベースへ登録された符号２３２の引渡済タグは、符号２４０の入退場ゲートを通過する際、前記入退場ゲートとの間で通信を行う。前記入退場ゲートは前記監視装置と通信し、符号２６４の監視データベースに当該引渡済タグの登録があるか照合する。ここで、前記監視データベースに登録がなければ入場とみなし、前記監視データベースへ登録を行う。前記監視データベースに登録があれば監視していたことになるため、今回の通過は退場とみなし、前記監視データベースから当該引渡済タグの登録を削除する。この監視データベースが、溺水監視対象の管理を行うものである。【００２６】  前記入退場ゲートから入場した符号２３３の入退���ゲート通過済タグは、符号２１０の送受信機との定期的な通信を開始する。通信に利用される電波は、水中を伝播しない周波数帯、例えば２．４ＧＨｚを利用する。定期的な通信は、予め設定された監視間隔で、前記監視装置からの指令により、前記送受信機から前記入退場ゲート通過済タグへ問合信号を送信する。図３で前記入退場ゲート通過済タグはプール又は浴槽の外にいるが、その状態や、符号２３４の遊泳中又は入浴中タグのように、タグが水面より上にある場合、前記タグは問合信号を受信できるため、タグ識別番号を含む応答信号を返す。【００２７】  ここで、タグが水中にあるときは、前記タグは問合信号を受信できない。即ち、符号２３５のような状態の溺水候補タグからは応答信号が返されないため、警報の発報と監視データベースの更新を行う。前記監視データベースの更新内容は、段落番号００３２で説明する。警報は、符号２８０のような装置群、図３に記載された装置では、符号２８１の警報伝達手段１は回転灯、符号２８２の警報伝達手段２は警報音発生器、符号２８３の警報伝達手段３はタブレット端末、符号２８４の警報伝達手段４はリストバンドを想定している。前記タブレット端末には溺水者がいる想定位置と溺水開始からの経過時間が図で示される。また、前記リストバンドは振動や警報音を発して知らせるほか、文字表示可能な簡易な表示画面で溺水者がいる想定位置を表示したり、表示及び操作用小型画面が付加されたリストバンド型端末であれば、前記タブレット端末のような表示をおこなったりすることも可能である。これらの他、図示していないが、電光掲示板に溺水者がいる想定位置を表示することも考えられる。【００２８】  図４は、本発明のデータ構造図である。本発明が利用するデータベースは主に２つ、符号３１０の管理タグデータベースと、符号３２０の監視データベースとがある。これらの他、設定内容を保有するデータベース等があっても良い。前記管理タグデータベースには、符号３１１のタグ識別番号、符号３１２のタグ所有者情報と、符号３１３のタグ電池残量とを含む。前記タグ識別番号と前記タグ所有者情報とは、後述する手順でタグの利用客への引渡し時に登録する。前記監視データベースには、前記管理タグデータベースから転記される符号３２１のタグ識別番号と、その他、符号３２２の監視開始時刻、符号３２３の監視間隔、符号３２４の最新問合時刻、符号３２５の最終応答位置と、符号３２６の最終応答時刻とを含む。これらのうち、入退場ゲートを入場のために通過した際に登録される項目は、タグ識別番号、監視開始時刻、監視間隔である。前記監視開始時刻は前記入退場ゲートを通過した時刻、前記監視間隔は、予め設定された初期値である。【００２９】  図５は、警報伝達手段のうち表示画面を利用する場合の画面例である。符号４８３の表示画面上には、符号４５０のプール又は浴槽が平面図として表示されており、溺水者があったときは、符号４７１乃至符号４７３のように、最終応答時刻からの経過時間により異なる色の識別記号を、前記最終応答位置に沿った位置に表示する。このとき、前記識別記号を釦のように押すと、符号４７４の溺水者名表示欄にタグ所有者情報が表示され、身元確認に有意である。また���図５では、符号４７０の凡例に経過秒数が記載されているが、この時間は任意に設定可能とする。符号４２３のように、監視間隔設定釦を設けておき、必要に応じて設定できるようにする。前記監視間隔設定釦は、不用意に操作できないよう長押しで設定できるようにしたり、釦自体を隠しておいたりもできる。また、符号４９６の電池残量確認釦を押すと、電池残量確認画面が表示される。図６が、電池残量確認画面の画面例である。前記管理タグデータベースを参照し、符号４９１のタグ識別番号と符号４９３の電池残量を表示する。タグ交換が完了したら、符号４９７のタグ交換済釦を押すことで、当該タグの情報を管理タグデータベースから削除でき、改めて交換後のタグを登録する。【００３０】  図７は、タグ利用開始時に管理タグデータベースへ登録する処理内容を示す図である。タグを利用客へ引き渡す際は、
６１０１  当該タグのタグ識別番号を、管理タグデータベースへ登録する。
６１０２  施設の会員番号を持っているか確認する。
６１０３  施設の会員番号を持っている場合は、管理タグデータベースのタグ所有者情            報として、会員番号を登録する。
６１０４  施設の会員番号を持っていない場合は、会員外であるという情報を登録する            。
符号６１０３の手順の際会員番号を登録としているのは、施設の会員証を利用して、例えば前記会員証に近接通信機能があれば、リーダライタを、バーコードや二次元コードがあれば、コードリーダを利用して入力すると作業が簡便になる点と、氏名とすると個人情報漏えいリスクが生じるためである。これらの機能がない会員証の場合は手入力となるので、会員番号に代えて利用者の任意の仮名としてもよい。【００３１】  図８は、タグが入退場ゲートを通過したときの監視データベースへの登録又は削除を行う処理内容を示す図である。タグが入退場ゲートを通過したときは、
６２０１  当該タグのタグ識別番号が、監視データベースに登録されているか確認する。
６２０２  当該タグのタグ識別番号が監視データベースに登録されているときは、退場            と判断し、前記監視データベースから削除する。
６２０３  当該タグのタグ識別番号が監視データベースに登録されていないときは、入            場と判断し、前記監視データベースへ登録する。
符号６２０３の処理のときは、段落番号００２８で述べたデータ、即ち、タグ識別番号、監視開始時刻、監視間隔を、前記監視データベースへ登録する。【００３２】  図９は、監視の処理内容を示す図である。監視の流れは、
６３０１  送受信機を通して問合信号を送信する。
６３０２  タグからの応答信号を受けたかどうかで処理を分岐する。
６３０３  タグからの応答信号を受けたときは、受信した電波の強度と送受信機の設置            位置からタグの現在地を特定する。
６３０４  応答時刻を取得する。
６３０５  監視データベースの監視間隔を初期値に設定する。最新問合時刻、最終応答            位置、最終応答時刻を更新する。
６３０６  符号６３０３があるまで溺水と判断されていた場合、警報が出力されている            ため、
６３０７  出力されている警報を解除する。
符号６３０５の処理で、最新問合時刻は符号６３０１を行った時刻、最終応答位置は符号６３０３で特定した位置、最終応答時刻は符号６３０４の時刻である。
６３０８  タグからの応答信号を受けられなかったときは、溺水候補として警報を出力            するため、監視データベースの最終応答位置、最終応答時刻を取得する。
６３０９  監視データベースの監視間隔が何秒か、即ち、監視間隔設定値の何段階目で            あるかで、最終応答時刻からの経過時間により異なる色の識別記号の色を変            えるために分岐する。
６３１０  監視間隔が初期値、即ち１回目の応答なしであったときは、第一段階溺水者            の識別記号を表示すると同時に、他の警報を発報する。
６３１１  監視間隔を１回目応答なし値に設定する。
６３１２  監視間隔が１回目応答なし値、即ち２回目の応答なしであったときは、第二            段階溺水者の識別記号を表示すると同時に、他の警報を発報する。
６３１３  監視間隔を２回目応答なし値に設定する。
６３１４  監視間隔が２回目応答なし値、即ち３回目の応答なしであったときは、第三            段階溺水者の識別記号を表示すると同時に、他の警報を発報する。これ以降            の応答なしは、色の変更はしない。これは、色数が増えると混乱して判断が            遅れる危険があるためである。
６３１５  符号６３１１、符号６３１３、又は符号６３１４の処理後、監視データベー            スの監視間隔及び最新問合時刻を更新する。
以上の符号６３０８乃至符号６３１５の処理手順が、タグからの応答信号を受けられなかったときの処理手順である。【００３３】  図１０は、タグが返却されたときの処理内容を示す図である。タグが返却されたら、
６４０１  管理タグデータベース登録用端末を用いて、管理タグデータベースから当該            タグの情報を消去する。
これにより、当該タグの管理状況は、初期の在庫状態に戻る。【００３４】  図１１は、電池容量減少信号が送信されたときの処理内容を示す図である。電池容量が減少すると、
６５０１  タグ電池残量が減少したタグからタグ識別番号と電池容量減少信号を送信す            る
６５０２  管理タグデータベースのタグ電池残量を更新する
６５０３  警報を発報する
６５０４  監視員などがタグ交換する
６５０５  監視員などが電池残量確認画面のタグ交換済釦を押す
６５０６  警報を解除する
６５０７  管理タグデータベースから当該タグの情報を削除する
６５０８  監視員などが交換後のタグを、管理タグデータベースに、段落番号００３０            の要領でに登録する
の処理が行われる。
【産業上の利用可能性】
【００３５】  本発明を利用すれば、プール遊泳者の溺水を感知し、生命の危機に陥る前に救助することができ、安全に施設運営を行うことができる。【００３６】  また、浴室内でも、高齢者や疾病を持つ入浴者だけでなく、ヒートショックや湯あたり等の突発的な体調不良等で溺水を起こすことがあるため、本発明を利用して温浴施設の安全管理を行うことが可能である。この場合、帽子の着用は現実的でないため、タグはネックレス状のものに水密に組み込んで入浴者に装着させると良い。
【符号の説明】
【００３７】  １１０    送受信機
１２０    中継器
１３０    タグ
１４０    入退場ゲート
１５０    プール又は浴槽
１６０    監視装置
１８１    警報伝達手段１
１８２    警報伝達手段２
１８３    警報伝達手段３
１８４    警報伝達手段４
２１０    送受信機
２２０    中継器
２３１    在庫タグ
２３２    引渡済タグ
２３３    入退場ゲート通過済タグ
２３４    遊泳中又は入浴中タグ
２３５    溺水候補タグ
２３６    管理タグデータベース登録用端末
２４０    入退場ゲート
２６０    監視装置
２６１    通信部
２６２    制御部
２６３    管理タグデータベース
２６４    監視データベース
２８０    警報伝達手段
２８１    警報伝達手段１
２８２    警報伝達手段２
２８３    警報伝達手段３
２８４    警報伝達手段４
３１０    管理タグデータベース
３１１    タグ識別番号
３１２    タグ所有者情報
３１３    タグ電池残量
３２０    監視データベース
３２１    タグ識別番号
３２２    監視開始時刻
３２３    監視間隔
３２４    最新問合時刻
３２５    最終応答位置
３２６    最終応答時刻
４２３    監視間隔設定釦
４５０    プール又は浴槽
４７０    凡例
４７１    第一段階溺水者
４７２    第二段階溺水者
４７３    第三段階溺水者
４７４    溺水者名表示欄
４８３    表示画面
４９１    タグ識別番号
４９３    電池残量
４９６    電池残量確認釦
４９７    タグ交換済釦
【図１】
2020173751.tif 000003
【図２】
2020173751.tif 000004
【図３】
2020173751.tif 000005
【図４】
2020173751.tif 000006
【図５】
2020173751.tif 000007
【図６】
2020173751.tif 000008
【図７】
2020173751.tif 000009
【図８】
2020173751.tif 000010
【図９】
2020173751.tif 000011
【図１０】
2020173751.tif 000012
【図１１】
2020173751.tif 000013